(57)【要約】【課題】高齢者の体力健診（握力、片足立ち、歩行速度）を集団健診方式で安全かつ効率的に測定から結果票作成まで一貫処理できる体力測定装置と体力評価システムを提供すること。【解決手段】持ち運びができて高齢者に優しいバリアフリー仕様の片足立ち体力測定装置と、手のサイズに合わせて握り部が選べる握力測定装置、並びに体に器具の装着が無い歩行速度測定装置から其々測定データを体力評価システムに送信して、予め設定してある個人情報と評価基準により評価判定して結果票作成まで一貫処理して直ちに受診者へ結果票の提供ができる。なお、後日一括処理できる機能も選択できる。その他の機能としてグラフ標示、分析、データの経年管理、個人情報管理、集計票、一覧表、健通知用宛名ラベルやはがき宛名印字等総合的な処理ができる。【選択図】  図８
2007117692.tif 000002
【特許請求の範囲】
【請求項１】
バリアフリー仕様の片足立ち測定マット部の上に両足立ちになり、片足立ちになった瞬間から、バランスを崩して上げていた足をマットに下ろした瞬間までの時間を測定して体力評価システム（ＰＣ）にデータを送信できることを特徴とする片足立ち体力測定装置。
【請求項２】
握力測定装置の握り部が手の大きさにあわせてＳ・Ｍ・Ｌと選択できること、および、握力を測定したデータを体力評価システム（ＰＣ）に送信できることを特徴とする握力測定装置。
【請求項３】
前部通行感知部（レーザ光線発光機構と受光機構）から距離をおいて平行に設置した後部通行感知部（レーザ光線発光機構と受光機構）で、受診者が前部通行感知部の光線を遮断した瞬間から後部通行感知部の光線を遮断した瞬間までの時間を測定し、予め設定していた前部通行感知部と後部通行感知部の距離により歩行速度を計算して体力評価システム（ＰＣ）にデータを送信できることを特徴とする歩行速度測定装置。
【請求項４】
請求項１の片足立ち体力測定装置と請求項２の握力測定装置および請求項３の歩行速度測定装置からデータを随時または一括でデータベースに取り込み、予め作成していた個人情報および予め設定してある評価基準により項目別評価及び総合評価を行い結果処理する。なお、結果処理方法は健診と平行して随時結果票出力する方法と、健診後に一括して結果票出力する方法を選択できる。また、処理機能としてグラフ標示、分析、データの経年管理および経年標示、個人情報の一括挿入や一括更新、個人情報の修正、各種集計票作成、一覧表作成、健診通知用および事後指導用の通知ラベルやはがき宛名印字ができるので、集団健診方式による体力健診における総合的な処理ができることを特徴とする体力評価システム。
【発明の詳細な説明】
【技術分野】
【０００１】本発明は、市町村における高齢者の体力健診（片足立ち、握力、歩行速度）の体力測定を集団健診方式により効率的に実施でき、しかもバリアフリー仕様で高齢者に優しい体力測定装置である片足立ち体力測定装置と握力測定装置および歩行速度測定装置の３種類を単独または複数の組み合わせにより省力的かつ効率的に集団健診方式により体力測定を連続的に実施でき、しかも結果処理および事後指導そしてデータの経年管理等が総合的に処理できる体力評価システム。
【背景技術】
【０００２】これまで、片足立ち測定と歩行速度測定は受診者と測定者が１対１でストップウオッチを使い目視により測定して手書きにより記録、評価していた。また、従来の握力計では測定者が計りの標示部を目視して手書きにより記録、評価していた。
【発明の開示】
【発明が解決しようとする課題】
【０００３】高齢者が介護にたよらず自立性を維持継続するために高齢者の生活習慣の改善と体力の維持増進が図られるべきであるとして、老人保健法および介護予防法の見直しにより市町村の基本健康診査の項目に握力、片足立ち、歩行速度の項目追加が厚生労働省で検討されている。そこで、握力、片足立ち、歩行速度の３項目を集団健診方式で効率良く実施するための体力測定装置および３項目の健診データから評価判定そして結果処理まで一括処理できるシステムがあれば、老人保健事業および介護予防事業の推進に役立つと思う。
【課題を解決するための手段】
【０００４】本発明は、上記課題を解決するために、次の（１）〜（４）のように構成した片足立ち体力測定装置と握力測定装置および歩行速度測定装置からなる体力測定装置と其々の体力測定装置から送信されたデータを個人情報とマッチングしながら評価基準と比較評価して結果票を作成するとともに、データの経年管理や分析、集計等が総合的に処理できる体力評価システムを提供するものである。
（１）片足立ち測定装置は図１で示すように、１と２は其々３の分離帯で分離されタッチセンサが内蔵されたマットとタッチ信号を送信する４の信号送信機構からなる踏み部、および測定装置を操作する５の操作装置と４の信号送信機構と５の操作装置を結ぶケーブル７と、５の操作装置と６の体力評価システムを結ぶケーブル８から構成される。
（２）握力測定装置は図３で示すように、９の密閉され握りやすい形状の握り部（１０の空洞）と１１の圧力センサからなる握力測定部と、測定装置を操作する５の操作装置と、１１の信号送信機構と５の操作装置を結ぶケーブル７と、５の操作装置と６の体力評価システムを結ぶケーブル８から構成される。
なお、９、１０、１１からなる握り部は受診者の手の大きさに合わせて選択できるようにＳ・Ｍ・Ｌの３サイズがありワンタッチで簡単に交換できる。
（３）歩行速度測定装置は、図５で示すように、前部通行感知部で１２の電源を電池または充電式バッテリーによるレーザ光線発光機構と１３の受光機構、および後部通行感知部で１４のレーザ光線発光機構と１５の受光機構および１３の前部受光機構と５の操作装置を結ぶ１６のケーブルおよび１５の後部受光機構と５の操作装置を結ぶ１７のケーブルおよび、５の操作装置と６の体力評価システムを結ぶ８のケーブルから構成される。なお、８のケーブル、１６のケーブル、１７のケーブルは無線ＬＡＮを使用することも可能である。
（４）上記（１）の片足立体力測定装置と（２）の握力測定装置と（３）の歩行速度測定装置を並列に接続して３項目連続して健診を行い、項目別評価、総合評価から体力測定結果票の作成まで一貫処理または一括処理できる体力測定評価システムである。また、事前処理として体力健診対象者絞込および事後指導対象者の絞込み、前記に対しての通知用ラベル作成やはがき宛名印字、評価基準の設定、データ処理としてグラフ標示、分析、集計、データの経年管理および経年標示、各種一覧表作成、個人情報管理等が総合的に処理できる体力評価システムである。
【発明の効果】
【０００５】本装置を使用することにより、個別の体力測定はもとより集団健診方式による体力測定の実施が容易になることで、老人保健法および介護予防法の見直しに伴う体力測定への取り組みが、より効率的に実施できるようになり、老人保健事業および介護予防事業の推進に役立つものと確信する。また、医療機関、介護施設、学校、職場等での健診にも活用できるので、生涯にわたり体力データの経年管理、分析が容易にできるので個人および団体の体力づくり推進に大きく寄与できると思う。
【発明を実施するための最良の形態】
【０００６】以下、本発明の体力測定装置および体力評価システムの仕様形態について図１〜図９により説明する。
【実施例】
【０００７】片足立ち測定装置の仕様について、図１及び図２で説明する。５の操作装置に電源を入れる。次に、メニュー画面から体力測定を選択する。次に、体力評価システムにデータを送信して個人情報とマッチングするための接続キーとして個人番号または整理番号をテンキーまたはバーコートリーダまたはＩＣカードリーダ等により入力する。次に、片足立ち測定画面を選択し、受診者に１のマットに右足、２のマットに左足で立つよう指示、測定画面で両足立ち準備完了を確認した後、受診者に片足立ちを指示、受診者が片足立ちになった瞬間、足の離れたタッチセンサ内蔵マットに接続された信号送信機構から電子信号が操作装置に送られ、操作装置のタイマーが作動して測定が開始される。次に、受診者がバランスを崩して上げていた足をマットに下ろした瞬間、マットのタッチセンサが感知して信号送信機構を経由して電子信号が操作装置に送られ測定が完了して片足立ちしていた間の秒数を画面に表示する。次にデータの操作装置の記憶装置へ記録するが、直ちに結果処理する場合は、体力評価システムへケーブル８又は無線ＬＡＮでデータを送信して結果処理を行うことができる。なお、体力評価システムへの送信は健診終了後に受診者分一括送信も可能である。また、片足立ち測定のみを多人数測定する場合は片足立ち測定装置数台を体力評価システムに並列に接続しての仕様も可能である。【０００８】握力測定装置の仕様について、図３・図４で説明する。５の操作装置に電源を入れる。次に、メニュー画面から体力測定を選択する。次に、体力評価システムにデータを送信して個人情報とマッチングするための接続キーとして個人番号または整理番号をテンキーまたはバーコートリーダまたはＩＣカードリーダ等により入力する。次に、受診者の手の大きさに合わせて握力測定装置の握り部をＳサイズ、Ｍサイズ、Ｌサイズから選択しワンタッチ方式のソケットにより交換する。次に、握力測定画面を選択して握力測定準備完了を確認する。次に、受診者に握り部を強く握っていただくと１０の空洞部に空気圧がかかり１１の圧力センサが感知して圧力信号を７のケーブルを経由して５の操作装置に送られ圧力の最高値を計算して握力を画面表示する。次に、握力データを操作装置の記憶装置へ記録するが、直ちに結果処理する場合は、体力評価システムへケーブルの８または無線ＬＡＮでデータを送信して結果処理を行う。なお、体力評価システムへの送信は健診終了後に受診者分一括送信も可能である。また、握力測定のみを多人数測定する場合は握力測定装置数台を体力評価システムに並列に接続しての仕様も可能である。【０００９】歩行速度測定装置の仕様について、図５・図６で説明する。５の操作装置に電源を入れる。次に、メニュー画面から体力測定を選択する。次に、体力評価システムにデータを送信して個人情報とマッチングするための接続キーとして個人番号または整理番号をテンキー又はバーコードリーダまたはＩＣカードリーダ等により入力する。次に、歩行速度測定画面を選択して前部通行感知部（１２の光線発光機構と１３の受光機構）と後部通行感知部（１４の光線発光機構と１５の受光機構）との距離を入力（距離の入力は健診開始直前に１回入力するだけで良い）して測定準備完了を確認、次に、受信者に歩行を指示する。受診者が歩行して前部通行感知部の１２の発光機構から１３の受光機構に照射されているレーザ光線を受診者の身体の一部が遮断した瞬間に１３の受光機構が感知し信号を５の操作装置に伝え、５のタイマーが作動し秒数測定が開始される。受診者はそのまま前進して後部通行感知部の１４の発光機構から１５受光機構に照射されているレーザ光線にさしかかり光線を身体の一部が遮断した瞬間に、１５の後部受光機構が感知して操作装置に伝えタイマーが止まり測定が完了する。なお、予め入力していた全部通行感知部と後部通行感知部の距離により歩行速度を自動的に計算して時速あるいは分速あるいは秒速で歩行速度を画面標示して操作装置の記憶装置に記録される。なお、直ちに結果処理する場合は、体力評価システムへケーブル８又は無線ＬＡＮでデータを送信して結果処理を行う。なお、体力評価システムへの送信は健診終了後に受診者分一括送信も可能である。【００１０】図７の体力測定３項目一括処理時の仕様について説明する。図７・図８のように、上記【０００７】と【０００８】および【０００９】で説明した片足立ち体力測定装置と握力測定装置および歩行速度測定装置を１台の測定装置に並列に接続して、受診者が３項目の体力健診を連続して受診することで体力を総合的に評価できる仕様である。また、この体力測定装置は簡易的であるが、それゆえに安価で提供できるし、しかも軽量で持ち運びも簡単である。また、バリアフリー仕様で段差も無く、身体に装着する器具も無く、高齢者には肉体的にも精神的にも負担が少なく受診しやすい仕様となっている。測定者も１人ですむことから省力化が図れるし、この流れで何人もの受診者を連続的に効率良く測定できるので、市町村における高齢者の集団方式による体力測定には最適な体力測定装置と体力評価システムである。【００１１】体力評価システムの仕様について説明する。この装置は市販されているパソコンに体力評価システムのソフトを開発して挿入した装置であり、図９に示すように、体力評価一貫処理画面では体力測定と同時並行して結果処理を一貫処理するための処理画面であり、その中に３項目一貫処理ボタンおよび片足立ち測定一貫処理ボタンおよび握力測定一貫処理ボタンおよび歩行速度測定一貫処理ボタンがあり、その時の測定環境に合わせて処理を選択できる。また、体力評価一括処理画面では体力測定と結果処理を分けて一括処理するため処理画面であり、その処理はＦＤまたはＬＡＮケーブルまたは無線ＬＡＮにてデータを一括取込みしてからデータ一括処理ボタンにて評価から結果票の出力を一括処理する。また、各種帳票作成ボタンからは一覧表と集計票が作成される。データ管理・更新画面ではデータ５回分画面表示ボタンにより５回分または５年分のデータを画面表示およびデータのグラフ表示しながら指導票出力ボタンにより指導票が作成できる。また、指導対象者絞込みボタンでは地区別、年代別、性別、評価別を＆・Ｏｒ検索により対象者を絞込み通知するための宛名ラベルやハガキの宛名印字ができる。また、個人情報管理画面の個人情報一括挿入・更新ボタンではＬＡＮまたはＣＤなどの媒体で個人情報を一括挿入または一括更新できる。また、個人情報修正画面では画面から個人情報の修正が可能である。また、各種テーブル管理画面では評価基準設定テーブルにより片足立および握力および歩行速度の評価基準値が設定できる。〒番号・住所テーブルおよび地区コードテーブルの他、受付情報テーブル・健診項目テーブル・健診データテーブル・個人情報テーブル・性別テーブル・保健所テーブル・市町村テーブル・支所テーブル等のテーブルを設定することで入力や検索、集計等の絞込みを容易にすることができる。
【図面の簡単な説明】
【図１】  「片足立ち体力測定装置の構成図」である。
【図２】  「片足立ち測定装置の仕様概要図」である。
【図３】  「握力測定装置の構成図」である。
【図４】  「握力測定装置の仕様概要図」である。
【図５】  「歩行速度測定装置の構成図」である。
【図６】  「歩行速度測定装置の仕様概要図」である。
【図７】  「片足立ち体力測定と握力測定および歩行速度測定の３項目一括処理時の構成図」である。
【図８】  「片足立ち体力測定と握力測定および歩行速度測定の３項目一括処理時の仕様概要図」である。
【図９】  「体力評価システムの仕様概要図」である。
【符号の説明】
１  片足立ち体力測定装置のタッチセンサ内蔵マット（左足用）
２  片足立ち体力測定装置のタッチセンサ内蔵マット（右足用）
３  片足立ち測定装置の上記１・２の分離帯
４  片足立ち測定装置のタッチ信号送信機構
５  片足立ち測定装置の操作装置
６  体力測定評価システム
７  片足立ち測定装置と操作装置を結ぶケーブルまたは無線ＬＡＮ
８  操作装置と体力評価システムを結ぶケーブルまたは無線ＬＡＮ
９  握力測定装置の握り部（密閉された空洞体）
１０  握力測定装置の空洞部
１１  握力測定装置の圧力センサ
１２  歩行速度測定装置の前部通行感知部のレーザ光線発光機構
１３  歩行速度測定装置の前部通行感知部の受光機構
１４  歩行速度測定装置の後部通行感知部のレーザ光線発光機構
１５  歩行速度測定装置の後部通行感知部の受光機構
【図１】
2007117692.tif 000003
【図２】
2007117692.tif 000004
【図３】
2007117692.tif 000005
【図４】
2007117692.tif 000006
【図５】
2007117692.tif 000007
【図６】
2007117692.tif 000008
【図７】
2007117692.tif 000009
【図８】
2007117692.tif 000010
【図９】
2007117692.tif 000011